(57)【要約】【課題】本発明は前記課題に鑑み為されたものであり、乗りかご内トランク室上部の無駄なスペースを有効活用し、かつ複数の用途に利用できる乗りかごを提供することを目的とする。【解決手段】前記目的を達成するために本発明にかかるエレベータの乗りかご１は、担架や棺の運搬を行うためのトランク１８を備えたエレベータの乗りかご１において、前記トランク１８の上部空間を前記乗りかご１を構成する天井２、袖壁３ａ、奥壁３ｂで形成される乗りかご１内空間と一体に形成すると共に、前記乗りかご１内空間での前記トランクの上面高さを可変としたことを特徴とする。【選択図】図１
2013159454.tif 000002
【特許請求の範囲】
【請求項１】
担架や棺の運搬費行うためのトランクを備えたエレベータの乗りかごにおいて、前記トランクの上部空間を前記乗りかごを構成する天井、袖壁、奥壁で形成される乗りかご内空間と一体に形成すると共に、前記乗りかご内空間での前記トランクの上面高さを可変としたことを特徴とするエレベータの乗りかご。
【請求項２】
請求項１に記載のエレベータ乗りかごにおいて、前記トランクは前記トランクの上面を形成する上蓋を備え、前記上蓋は少なくとも２段階の高さに設置可能であることを特徴とするエレベータの乗りかご。
【請求項３】
請求項１または２のいずれかに記載のエレベータ乗りかごにおいて、前記上蓋は、前記トランクの床部を形成する部材と同等の機械的強度を有することを特徴とするエレベータの乗りかご。
【発明の詳細な説明】
【技術分野】
【０００１】
本発明はエレベータに係り、特に乗りかご内にトランクを有したエレベータの乗りかごに関する。
【背景技術】
【０００２】
近年、高層マンションなどの共同住宅用エレベータのかご室には、一般的に担架や棺を運搬するトランクが設けられている。このトランク付きエレベータのかご室を図５を用いて説明する。
【０００３】
同図に示すように、乗りかご１は天井２、側板３、床４、かご戸６などからなり、この乗りかご後方に側板８、床９、扉１０からなるトランク室１１が設けられている。Ｄ１は乗りかご１の内方奥行き、Ｄ２はトランク室１１の内方奥行きであり、このＤ２は建設省告示により、４８０〜５０５ｍｍと定められている。さらに扉１０は鍵を用いなければ開けることができない構造になっている。
【０００４】
一方、前記トランク室１１は、乗りかご１の後方の下部に設けられているので、トランク室１１の上方は使わない無駄なスペースを有している。
【０００５】
このため、乗りかごのトランク室上部に透明窓と飾り棚を設け、有効活用するという案が提案されている（特許文献１参照）。
【先行技術文献】
【特許文献】
【０００６】
【特許文献１】特開平４−２６６３８７号公報
【発明の概要】
【発明が解決しようとする課題】
【０００７】
しかしながら、上記提案された従来技術においては、トランク室上部の活用方法が飾り棚に限定されており、近年の多様化する利用者の要求に満足できないと言った問題があった。
【０００８】
本発明は前記問題に鑑み為されたものであり、乗りかご内トランク室上部の無駄なスペースを有効活用し、かつ複数の用途に利用できる乗りかごを提供することを目的とする。
【課題を解決するための手段】
【０００９】
前記目的を達成するために本発明にかかるエレベータの乗りかごは、担架や棺の運搬を行うためのトランクを備えたエレベータの乗りかごにおいて、前記トランクの上部空間を前記乗りかごを構成する天井、袖壁、奥壁で形成される乗りかご内空間と一体に形成すると共に、前記乗りかご内空間での前記トランクの上面高さを可変としたことを特徴とする。
【発明の効果】
【００１０】
本発明によれば、乗りかご内トランク室上部の無駄なスペースを有効活用し、かつ複数の用途に利用できる乗りかごを提供することができる。
【図面の簡単な説明】
【００１１】
【図１】本実施形態におけるエレベータ乗りかごの概略構成図である。
【図２】本実施形態におけるエレベータ乗りかごの側面図である。
【図３】本実施形態におけるエレベータ乗りかごの概略構成図である。
【図４】本実施形態におけるエレベータ乗りかごの側面図である。
【図５】従来技術による一実施形態を示す図である。
【発明を実施するための形態】
【００１２】
以下に、本発明にかかるエレベータの乗りかごの一実施形態を例に挙げ、図１〜図４に基づいて説明する。
【００１３】
図１は本発明の一実施形態を示すエレベータ乗りかごの概略構成図、図２は図１に示された乗りかごの側面図、図３は図１に示された乗りかごのトランク部を椅子利用にした概略構成図、図４は図３に示された乗りかごの側面図である。尚、同一箇所には同一符号を付してある。
【００１４】
図１に示すように、本実施形態におけるエレベーターの乗りかご１は、天井２、袖壁３ａ、奥壁３ｂ、床４、幅木５、かご戸６などで構成されている。そして、図２に示すように、乗りかご１後方下部に上蓋１２、第一の台座１３、第二の台座１４、前柱１５、施錠装置１７を有する折りたたみ式のトランク扉１６などで構成するトランク１８を配置している。なお、第一の台座１３及び第二の台座１４は上蓋１２を支持するものである。
【００１５】
このように本実施形態におけるエレベーターの乗りかご１は、担架や棺の運搬を行うためのトランク１８を備えたエレベータの乗りかご１において、トランク１８の上部空間を乗りかご１を構成する天井２、奥壁３ａ、奥壁３ｂで形成される乗りかご内空間と一体に形成している。
【００１６】
図１、図２は担架等の運搬時のトランク１８とした場合を示しており、トランク１８の法定寸法付近の高さに配置した第二の台座１４の上部に上蓋１２を配置する。
【００１７】
トランク扉１６は施錠装置１７を開錠することで観音開きにすることができ、緊急時に担架等を運搬することができる。
【００１８】
また、上蓋１２の上部の空きスペースは、荷物置き場や棚などとして利用することができる。
【００１９】
次に図３、図４はトランク１８の上部空間を椅子利用にした場合を示しており、人が腰掛けるのに適した高さに配置した第一の台座１３の上部に上蓋１２を配置することで利用可能である。この時、トランク扉１６の上部を折りたたみ、台座１３の下部に収納することにより、通常時は上蓋１２に腰掛けられるようにし、椅子として利用ができる。また、トランク扉１６を収納する際に、上蓋１２の下部のデッドスペースに荷物などを収納しておくこともできる。
【００２０】
このように本実施形態におけるエレベータの乗りかご１は、乗りかご１内空間でのトランク１８の上蓋１２の支持位置を第一の台座１３と第二の台座１４で変更することで、その上面高さを可変としている。
【００２１】
この時、第一の台座１３、第二の台座１４、上蓋１２は従来技術で説明した図５に示すトランク床９や図２に示すトランク１８の床部を形成する床４と同等または同等以上の機械的強度を有するものとし、椅子や荷物置き場として利用した場合においても強度が確保できるものとしている。このように構成することでトランク１８の上部空間を有効に利用するための用途を拡大することができる。
【００２２】
なおここでいう同等とは厳密な同等を意味するものではなく、実質的に同等な強度を有しているものを同等と表現している。
【００２３】
そしてトランク１８の上面を形成する上蓋１２は、少なくとも２段階の高さに設置可能であるため、乗りかご１内空間でのトランク１８の上部空間を用途や必要に応じて有効に利用することが可能となる。
【００２４】
図２に示すかご奥行き寸法は図５に示すＤ１、図２に示すトランク上部空間奥行き寸法Ｄ３は、図５に示すＤ１＋Ｄ２と同等以下とすることにより、法定寸法を満足できるとともに、昇降路スペースを拡大することなく、付加価値を向上することができる。なお、図において、Ｗ１は乗りかご１の間口寸法である。
【００２５】
本発明は、乗りかご内トランク収納部の高さを変えられるようにしたことにより、通常時はトランク部を椅子として利用可能とすることや、椅子の下部のデッドスペースを荷物置き場として有効活用できる。
【符号の説明】
【００２６】
１    乗りかご
２    天井
３ａ  袖壁
３ｂ  奥壁
４    床
５    幅木
６    かご戸
７    前柱
１２  上蓋
１３  第一の台座
１４  第二の台座
１５  前柱
１６  トランク扉
１７  施錠装置
１８  トランク
【図１】
2013159454.tif 000003
【図２】
2013159454.tif 000004
【図３】
2013159454.tif 000005
【図４】
2013159454.tif 000006
【図５】
2013159454.tif 000007